(57)【要約】      （修正有）【課題】保管や取り扱いが容易で、初心者でも安全かつ最適な状態でサーフィンの疑似体験や練習を行えるサーフボード型バランスボードを提供する。【解決手段】本考案のサーフボード型バランスボード１０は、上面が平坦なバランスボール１２を、連結板材を介して、デッキ１１の下面に分離不能に固定したため、当該バランスボード１０の保管や取り扱いが容易となるとともに、バランスボール１２をデッキ１１の下面のどの位置に配した方が好適かを、初心者が迷わなくてもよい。これにより、サーフボード型バランスボード１０を利用し、初心者や熟練者に拘わらず安全かつ最適な状態で、サーフィンの疑似体験やその練習を行うことができる。【選択図】図１
0003207318.tif 000002
【実用新案登録請求の範囲】
【請求項１】
サーフボード型のデッキと、
上面が平坦なバランスボールと、
前記サーフボード型のデッキの下面に、前記バランスボールの上面側を分離不能に固定するための連結板材とを備えたことを特徴とするサーフボード型バランスボード。
【請求項２】
前記サーフボード型のデッキは平面視して砲弾形のもので、
前記バランスボールは、平面視して長さ方向の両端部が先細り化した船形のゴムボールであることを特徴とする請求項１に記載のサーフボード型バランスボード。
【請求項３】
前記連結板材は、前記バランスボールの上面と同一サイズ、同一形状のプラスチック板であることを特徴とする請求項１または請求項２に記載のサーフボード型バランスボード。
【考案の詳細な説明】
【技術分野】
【０００１】
この考案は、サーフィンを屋内で練習する際や、身体的なトレーニングを行うときに使用されるサーフボード型バランスボードに関する。
【背景技術】
【０００２】
近年、マリンレジャーやマリン競技の一種としてサーフィンが注目されている。しかしながら、サーフィンを楽しむためには、サーフィンに適した波が発生する海岸に出向かなければならない。
そこで、室内でもサーフィンを手軽に練習できる用具として、例えば、非特許文献１に開示されたバランスボードが開発されている。これは、ローラーまたは空気の入ったディスクの上にサーフボード型のデッキを載置し、このボードに使用者が乗ってバランスを取ることにより、サーフィンに必要なバランス感覚を身に付けることができるというものである。
【先行技術文献】
【特許文献】
【０００３】
【非特許文献１】［平成２８年７月２５日検索］、インターネット＜URL：http://indoboard.com
【考案の開示】
【考案が解決しようとする課題】
【０００４】
しかしながら、非特許文献１のバランスボードは、デッキと不安定感を作るギア（ローラーまたはディスク）とが別体であった。そのため、保管が面倒で何れか一方を紛失するおそれがあるとともに、初心者が使用するときの使用方法も解かりづらいという問題があった。
また、使用者がバランスを崩してデッキから落ちる時、デッキと不安定感をつくるギアが分断され、物を壊したり、近くにいる人に怪我を負わせるおそれがあった。さらには、このようにバランスを崩した時、使用者は予想外のデッキの動きにあわててしまい、転倒するおそれもあった。
【０００５】
そこで、考案者は、鋭意研究の結果、上面が平坦なバランスボールを、連結板材を介して、サーフボード型のデッキの下面に分離不能に固定するように構成すれば、上述した問題はすべて解消されることを知見し、この考案を完成させた。
【０００６】
本考案は、このような従来の問題点に艦がみなされたもので、保管や取り扱いが容易で、かつ初心者でも安全かつ好適な状態でサーフィンの疑似体験やその練習を行うことができるサーフボード型バランスボードを提供することを目的としている。
【課題を解決するための手段】
【０００７】
請求項１に記載の本考案は、サーフボード型のデッキと、上面が平坦なバランスボールと、前記サーフボード型のデッキの下面に、前記バランスボールの上面側を分離不能に固定するための連結板材とを備えたことを特徴とするサーフボード型バランスボードである。
【０００８】
また、請求項２に記載の本考案は、前記サーフボード型のデッキは平面視して砲弾形のもので、前記バランスボールは、平面視して長さ方向の両端部が先細り化した船形のゴムボールであることを特徴とする請求項１に記載のサーフボード型バランスボードである。
【０００９】
さらに、請求項３に記載の本考案は、前記連結板材は、前記バランスボールの上面と同一サイズ、同一形状のプラスチック板であることを特徴とする請求項１または請求項２に記載のサーフボード型バランスボードである。
【００１０】
本考案のサーフボード型バランスボードは、屋内（陸上）において、サーフィンの疑似体験やサーフィンの練習を行うことができる。その他、筋力トレーニング、体幹トレーニング、バランストレーニング、ヨガなどにも使用することができる。
サーフボード型のデッキの素材としては、例えば、レッドウッド、バルサ材などの各種の木、発泡ポリウレタン、発泡ポリスチレンなどの各種のプラスチックなどを採用することができる。もちろん、海上では使用しないため、各種の金属や各種のセラミックスでもよい。
サーフボード型のデッキの形状は任意である。例えば、平面視して砲弾形、楕円形、円形などが挙げられる。その他、三角形または四角形以上の多角形などでもよい。
バラスボールの素材としては、天然ゴムの他、各種の合成ゴムを採用することができる。
バランスボールの形状は任意である。例えば、平面視して船形、楕円形、円形、三角形以上の多角形などを採用することができる。ただし、バランスボールの上面は、連結板材の下面に対して面接触状態で固定可能なように平坦でなければならない。
【００１１】
バランスボールのサイズは、その外周部がサーフボードの周縁から突出しなければ任意である。
連結板材の素材としては、例えば、各種の木、各種のプラスチック、各種の金属、各種のセラミックスなどを採用することができる。
連結板材の形状およびサイズは、バランスボールの上面の形状およびサイズと程同一である。
連結板材の上面とサーフボードの下面とを分離不能に固定する方法としては、例えば、接着剤による接着を採用することができる。その他、連結板材とサーフボードとの少なくとも一方がプラスチック素材の場合には熱融着でもよい。また、ボルトとナットで固定し、その素材は各種のプラスチック、各種の金属、各種のセラミックスなどを採用することができる。各これらの固定方法は、連結板材の下面とバランスボールの上面とを分離不能に固定する方法としても採用することができる。
【考案の効果】
【００１２】
請求項１に記載の考案によれば、上面が平坦なバランスボールを、連結板材を介して、サーフボード型のデッキの下面に分離不能に固定したため、従来は別体であったデッキ部分と不安定感をつくるギアとが一体化する。これにより、サーフボード型バランスボードの保管や取り扱いが容易となるとともに、従来のように紛失、使用者の転倒、周辺の物を破損する恐れはなくなった。
またバランスボールの上面が平坦であるため、デッキ側の面が湾曲面となるローラーや空気の入ったディスクを使用したときのように、このバランスボードのデッキ側には、元来の湾曲形状に戻ろうとする残留応力が作用しない。その結果、バランスボールを、連結板材の下面に面接触状態でしっかりと固定することができる。
【００１３】
さらにまた、仮に使用者がバランスを崩した際にも、このようにボールとデッキ部分とが一体化しているため、従来はこのデッキ部分が分断され周辺の物を壊したり、周辺の人に怪我を負わせるおそれがあったが、それを無くすことができる。
また、使用中にバランスを崩しても、バランスボールからデッキ部分が外れないため、このバランスを崩した時のサーフボードの動きは概ね想定内となる。その結果、使用者は転倒しにくくなる。
以上のことから、本考案のサーフボード型バランスボードを利用し、初心者や熟練者に拘わらず安全かつ最適な状態で、サーフィンの疑似体験や練習を行うことができる。
【図面の簡単な説明】
【００１４】
【図１】この考案の実施例１に係るサーフボード型バランスボードの斜視図である。
【図２】この考案の実施例１に係るサーフボード型バランスボードの平面図である。
【図３】この考案の実施例１に係るサーフボード型バランスボードの縦断面図である。
【考案を実施するための形態】
【００１５】
以下、この考案の実施例を具体的に説明する。
図１〜図３において、１０はこの考案の実施例１に係るサーフボード型バランスボードで、このサーフボード型バランスボード１０は、サーフボード型のデッキ１１と、上面が平坦なバランスボール１２と、デッキ１１の下面に、バランスボール１２の上面側を分離不能に固定するための連結板材１３とを備えている。
デッキ１１は、平面視して弾頭形をした全長が約１０７ｃｍ、胴部の幅が５０ｃｍ、厚さが１〜３ｃｍのバルサ材からなる板である。なお、デッキ１１のサイズは、以上に限定されるものではない。
【００１６】
バランスボール１２は、軟質塩化ビニル樹脂からなる伸縮自在なゴムボールで、平面視して長さ方向の両端部が先細りした舟形のものである。バランスボール１２のサイズは、全長が９４ｃｍ、胴部の幅が４５ｃｍ、高さ(厚さ)が２３ｃｍである。なお、バランスボール１２のサイズも、以上に限定されるものではない。また、バランスボール１２の素材は、軟質塩化ビニル樹脂に限定されるものではなく、天然ゴムのほか、ゴム弾性を有する有機高分子系素材などのいかなるものでもよい。
連結板材１３は、硬質塩化ビニル樹脂からなり、かつ平面視してバランスボール１２の上面と略同一サイズの厚さ３ｃｍの船形の板である。なお、連結板剤３の厚さも、以上に限定されるものではなく、その素材も硬質塩化ビニル樹脂に限定されるものではない。
サーフボード１１の下面の外周部を除く全域と連結板材１３の上面の全域とは、接着剤またはボルトとナットによって分離不能に固定されている。同様に、連結板材１３の下面の略全域とバランスボール１２の上面の全域とは、接着剤またはボルトとナットによって分離不能に固定されている。
【００１７】
このように、上面が平坦なバランスボール１２を、連結板材１３を介して、デッキ１１の下面に分離不能に固定したため、従来は別体であったバランスボール１２とデッキ１１とが一体化する。その結果、本考案のサーフボード型バランスボード１０の保管や取り扱いが容易となるとともに、安全性が向上する。
また、バランスボール１２の接着面となる上面が平坦であるため、サーフボード型のデッキ１１側の面が湾曲面となる従来の円盤形のローラーや空気が入ったディスクを使用した場合に問題化する、このボールのデッキ側に、元の湾曲形状に戻ろうとする残留応力がほとんど作用しない。そのため、バランスボール１２を、連結板材１３の下面に面接触状態でしっかりと固定することができる。
【００１８】
次に、図１〜図３を参照して、この考案の実施例１に係るサーフボード型バランスボード１０の使用方法を説明する。
図１〜図３に示すように、サーフィンの屋内練習時には、まずサーフボード型バランスボード１０を、トレーニングルームの床上などに配置する。その後、使用者がサーフボード型のデッキ１１に腹這いの状態で乗ってから立ち上がるといったサーフィン特有の動きの練習や、立ち上がった状態からのバランス感覚のトレーニングを行う。なお、体幹トレーニングやバランストレーニングの他、ヨガなどにも使用することができる。
【００１９】
仮に、使用者がデッキ１１上でバランスを崩した場合でも、このようにボール１２とデッキ１１とが一体化しているため、圧縮されたバランスボール１２の反発力でデッキ１１が周辺に飛ぶことはない。そのため、従来はこのようなデッキ１１の飛び出しを原因として周辺の物を壊したり、周辺の人に怪我を負わせるおそれがあったが、これらを無くすことができる。
また、使用中に使用者がバランスを崩しても、バランスボール１２からサーフボード型のデッキ１１が外れないため、このバランスを崩した時のバランスボード１０の動きは、使用者の経験に基づく想定の範囲内にとどまる。その結果、このようにバランスを崩した時でも使用者はとっさの判断で転倒しにくくなる。
以上のことから、使用者はサーフボード型バランスボード１０を利用し、初心者や熟練者に拘わらず安全かつ最適な状態で、サーフィンの疑似体験やその練習を行うことができる。
【産業上の利用可能性】
【００２０】
この考案は、屋内において、サーフィンの疑似的な練習や身体のトレーニングを行うための技術として有用である。
【符号の説明】
【００２１】
１０  サーフボード型バランスボード
１１  サーフボード型のデッキ
１２  バランスボール
１３  連結板材
【図１】
0003207318.tif 000003
【図２】
0003207318.tif 000004
【図３】
0003207318.tif 000005